(57)【特許請求の範囲】
【請求項１】
ポッティング材と、
前記ポッティング材が注入される凹部を有するハウジングと、
前記凹部の底面から突出する形態で設けられた複数の端子と、
前記ハウジングとは別体に設けられ、前記隣り合う一対の端子同士を隔離する隔壁体とを備え、
前記ポッティング材が前記凹部に注入される前においては、前記隔壁体と前記凹部の底面との間に、前記ポッティング材が進入可能な単一の空間が形成されており、
前記ハウジングは、前記凹部において前記底面から突出する台座部を有し、
前記隔壁体は、前記台座部によって支持される着座部を有しており、
前記ポッティング材の高さ位置は、前記着座部の底面よりも高く設定されているコネクタ。
【請求項２】
ポッティング材と、
前記ポッティング材が注入される凹部を有するハウジングと、
前記凹部の底面から突出する形態で設けられた複数の端子と、
前記ハウジングとは別体に設けられ、前記隣り合う一対の端子同士を隔離する隔壁体とを備え、
前記ポッティング材が前記凹部に注入される前においては、前記隔壁体と前記凹部の底面との間に、前記ポッティング材が進入可能な単一の空間が形成されており、
前記ハウジングは、前記凹部において前記底面から突出して設けられた台座部と、前記台座部に凹設された取付孔とを有し、前記隔壁体は、前記取付孔に圧入される突起を有しているコネクタ。
【請求項３】
前記隔壁体は複数の隔壁からなり、前記凹部の周壁は、前記複数の隔壁の一部を収容する凹溝を有している請求項１または請求項２に記載のコネクタ。
【発明の詳細な説明】
【技術分野】
【０００１】
本明細書によって開示される技術は、コネクタに関する。
【背景技術】
【０００２】
従来、車両のトランスミッションにおいて、トランスミッション内に配設された電装部品と外部の装置とを接続するための中継コネクタとして、特開２０００−４０５５１号公報（下記特許文献１）に記載のものが知られている。このものは、ターミナルが貫通されたコネクタハウジングに充填用凹部を設け、この充填用凹部内にポッティング剤を充填することにより、ターミナルの貫通部分における液体の漏洩を阻止するものとされている。また、隣り合うターミナルの充填用凹部同士が連通部と連通溝を介して連通しているので、１箇所又は数カ所の充填用凹部に注入したポッティング剤が他の充填用凹部にも回り込んで充填されるようになる。すなわち、ポッティング剤を各充填用凹部に個別に充填する必要がないので、充填の作業性に優れている。
【先行技術文献】
【特許文献】
【０００３】
【特許文献１】特開２０００−４０５５１号公報
【発明の概要】
【発明が解決しようとする課題】
【０００４】
しかしながら、上記のコネクタでは、ターミナル間にリブが設けられていないため、ターミナル間の沿面距離が短く導電性異物による短絡の問題や、コネクタ嵌合時に相手側コネクタがターミナル先端にどつく問題などがある。そこで、これらの問題を解決すべく、ターミナル間にリブを設けると、各充填用凹部がターミナル毎に独立してしまい、注入回数が増えてコストアップとなる。また、充填用凹部の大きさや形状に製造上のバラツキがあるため、ポッティング剤の注入量を一定にするだけでは、ポッティング剤の液面高さを一定にすることができない。
【課題を解決するための手段】
【０００５】
本明細書によって開示されるコネクタは、ポッティング材と、前記ポッティング材が注入される凹部を有するハウジングと、前記凹部の底面から突出する形態で設けられた複数の端子と、前記ハウジングとは別体に設けられ、前記隣り合う一対の端子同士を隔離する隔壁体とを備え、前記ポッティング材が前記凹部に注入される前においては、前記隔壁体と前記凹部の底面との間に、前記ポッティング材が進入可能な単一の空間が形成されている構成とした。
【０００６】
このような構成によると、隔壁体と凹部の底面との間に単一の空間が形成されているため、凹部にポッティング材を注入した際に、ポッティング材が単一の空間を通って凹部の底面全体に行き渡る。したがって、各端子を隔壁体によって隔離された状態でも、各端子毎にポッティング材を注入しなくてもよく、１回の注入でポッティング材の注入作業を完了させることができ、ポッティング材の高さを均一にすることができる。
【０００７】
本明細書によって開示されるコネクタは、以下の構成としてもよい。
前記ハウジングは、前記凹部において前記底面から突出して設けられた台座部と、前記台座部に凹設された取付孔とを有し、前記隔壁体は、前記取付孔に圧入される突起を有している構成としてもよい。
このような構成によると、隔壁体の突起を台座部の取付孔に圧入することで隔壁体をハウジングに取り付けることができる。
【０００８】
前記隔壁体は複数の隔壁からなり、前記凹部の周壁は、前記複数の隔壁の一部を収容する凹溝を有している構成としてもよい。
このような構成によると、隔壁の一部を凹溝に収容することにより、隔壁体をハウジングに位置決めすることができる。
【発明の効果】
【０００９】
本明細書によって開示されるコネクタによれば、各端子を隔壁体によって隔離した上で、各端子毎にポッティング材を注入しなくてもよく、１回の注入でポッティング材の注入作業を完了させることができ、ポッティング材の高さを均一にすることができる。
【図面の簡単な説明】
【００１０】
【図１】本実施形態におけるコネクタの側面図
【図２】コネクタの正面図
【図３】コネクタの背面図
【図４】図１のＡ−Ａ線断面図
【図５】図２のＢ−Ｂ線断面図
【図６】図２のＣ−Ｃ線断面図
【図７】ハウジングの正面図
【図８】隔壁体の底面図
【図９】隔壁体の正面図
【図１０】隔壁体の背面図
【図１１】隔壁体の側面図
【発明を実施するための形態】
【００１１】
＜実施形態＞
実施形態を図１から図１１の図面を参照しながら説明する。本実施形態におけるコネクタ１０は、車両のトランスミッションにおいてミッションケースに設けられた取付孔に取り付けられるものである。ミッションケースの外部に配されたワイヤハーネスと内部に配された電装部品とを中継接続するのにコネクタ１０が使用される。したがって、コネクタ１０は、ミッションケースの外部から内部に水や異物などが進入することを防ぐ役割と、ミッションケースの内部から外部にオイルが漏れることを防ぐ役割とを有している。
【００１２】
コネクタ１０は、図１に示すように、ワイヤハーネスとの接続部である外部接続部１１と、ミッションケース内の電装部品との接続部である内部接続部１２と、これらの接続部１１、１２の間に設けられたコネクタ本体部１３とを備えて構成され、コネクタ本体部１３の外周にはゴムリング装着溝１４が周設されている。ゴムリング装着溝１４には、ゴムリング６０が嵌着されている。また、コネクタ本体部１３の外周には、ミッションケースにボルト締結される取付フランジ１５が径方向に突出して設けられている。取付フランジ１５には、金属カラー１６が保持されている。
【００１３】
図２から図４に示すように、コネクタ本体部１３には、複数の端子４０が保持されている。端子４０は針状をなす雄端子であって、コネクタ本体部１３を貫通する態様で配設されている。図４に示すように、端子４０は、クランク状をなす屈曲部４１を有しており、その屈曲部４１がインサート成形によってコネクタ本体部１３の内部に埋設されている。端子４０の一端部４２は、コネクタ本体部１３から外部接続部１１の内部に突出し、他端部４３は、コネクタ本体部１３から内部接続部１２の内部に突出している。
【００１４】
外部接続部１１は、図７に示すように、フード状をなして正面側に開口するハウジング２０を備えている。ハウジング２０は、ポッティング材５０が注入される凹部２１と、凹部２１の底面２２（コネクタ本体部１３の正面）から正面側に突出して設けられた台座部２３とを有している。
【００１５】
凹部２１は、正面視において略長方形状をなしている。また、台座部２３は、正面視において略長方形状をなし、台座部２３には取付孔２３Ａが設けられている。ハウジング２０における凹部２１の周壁は、台座部２３の長尺方向両側に配された一対の第１周壁２４と、台座部２３の短尺方向両側に配された一対の第２周壁２５とからなる。
【００１６】
台座部２３と一対の第１周壁２４との間には、台座部２３の両側を互いに連通させる一対の連通路２１Ａが設けられている。台座部２３の両側には、それぞれ複数の端子４０が整列して配設されている。また、台座部２３の短尺方向に隣り合う一対の端子４０の間には、台座部２３よりも低い突条部２６が台座部２３の長尺方向に延びる形態で設けられている。
【００１７】
第１周壁２４には、三つ叉形状をなす第１凹溝２４Ａが設けられている。第１凹溝２４Ａの底面は、台座部２３の頂面とほぼ同じ高さに配されている。また、第１凹溝２４Ａにおける台座部２３に隣り合う位置には、一対の取付孔２４Ｂが設けられている。一方、第２周壁２５には、一対の第２凹溝２５Ａが設けられている。第２凹溝２５Ａの底面は、台座部２３の頂面と同じ高さに配されている。
【００１８】
さて、本実施形態のコネクタ１０においては、隣り合う一対の端子４０同士を一括して隔離する隔壁体３０が備えられている。隔壁体３０はハウジング２０とは別体に設けられており、図９に示すように、互いに平行に配置された複数の第１隔壁３１と、複数の第１隔壁３１と直交して配置された複数の第２隔壁３２とを備えて構成され、正面視において略格子状をなしている。隔壁体３０は、ハウジング２０の内部に装着されるようになっており、台座部２３によって支持される着座部３３には、保護壁３４が立設されている。
【００１９】
図１０に示すように、着座部３３の底面には、突起３５が立設されている。突起３５は、着座部３３に連なる第１隔壁３１の両端部にも一対設けられている。これら３つの突起３５は、第１隔壁３１の延出方向に並んで直線で配置されている。また、図８および図１１に示すように、各突起３５の外周面には、圧入時に圧潰される複数のリブ３５Ａが設けられている。
【００２０】
隔壁体３０をハウジング２０の内部に挿入すると、図２に示すように、複数の第１隔壁３１の端部およびこれらの端部を連結している第２隔壁３２が第１凹溝２４Ａに収容され、各第２隔壁３２の端部が各第２凹溝２５Ａに挿通されることで隔壁体３０が回り止め状態に位置決めされる。また、図５に示すように、着座部３３の底面は台座部２３の頂面に着座し、各突起３５が各取付孔２３Ａ、２４Ｂに圧入される。これにより、各リブ３５Ａが各取付孔２３Ａ、２４Ｂの内壁によって圧潰され、隔壁体３０がハウジング２０に対して強固に保持される。このとき、隔壁体３０と凹部２１の底面２２との間に、ポッティング材５０が進入可能な単一の空間が形成されるようになっている。
【００２１】
図５においては、単一の空間を構成する一対の連通路２１Ａが設けられており、これらの連通路２１Ａを通ってポッティング材５０が凹部２１の底面２２の全体に行き渡る。また、図４においては、第１隔壁３１の底面と突条部２６の頂面との間に連通路２６Ａが設けられており、この連通路２６Ａも単一の空間を構成している。さらに、図６においては、第２隔壁３２の底面と凹部２１の底面２２との間に連通路２２Ａが設けられており、この連通路２２Ａも単一の空間を構成している。すなわち、ポッティング材５０が注入される凹部２１は、各連通路２１Ａ、２２Ａ、２６Ａ等によって単一の空間とされているため、１回の注入でポッティング材５０の注入作業を完了させることができ、ポッティング材５０の液面高さを均一にすることができる。
【００２２】
図４および図６に示すように、ポッティング材５０の注入作業が完了すると、ポッティング材５０の液面の高さ位置は、各隔壁３１、３２の底面よりも高くなるため、ポッティング材５０の液面から突出した各隔壁３１、３２によって隣り合う一対の端子４０が隔離され、一対の端子４０間の沿面距離を十分に稼ぐことができる。また、各隔壁３１、３２および保護壁３４によって各端子４０を保護することができる。
【００２３】
以上のように本実施形態では、隔壁体３０と凹部２１の底面２２との間に単一の空間が形成されているため、凹部２１にポッティング材を注入した際に、ポッティング材５０が単一の空間を通って凹部２１の底面２２全体に行き渡る。したがって、各端子４０を隔壁体３０によって隔離された状態でも、各端子４０毎にポッティング材５０を注入しなくてもよく、１回の注入でポッティング材５０の注入作業を完了させることができ、ポッティング材５０の高さを均一にすることができる。
【００２４】
ハウジング２０は、凹部２１において底面２２から突出して設けられた台座部２３と、台座部２３に凹設された取付孔２３Ａとを有し、隔壁体３０は、取付孔２３Ａに圧入される突起３５を有している構成としてもよい。
このような構成によると、隔壁体３０の突起３５を台座部２３の取付孔２３Ａに圧入することで隔壁体３０をハウジング２０に取り付けることができる。
【００２５】
隔壁体３０は複数の隔壁（第１隔壁３１、第２隔壁３２）からなり、凹部２１の周壁（第１周壁２４、第２周壁２５）は、複数の隔壁の一部を収容する凹溝（第１凹溝２４Ａ、第２凹溝２５Ａ）を有している構成としてもよい。
このような構成によると、隔壁の一部を凹溝に収容することにより、隔壁体３０をハウジング２０に位置決めすることができる。
【００２６】
＜他の実施形態＞
本明細書によって開示される技術は上記記述及び図面によって説明した実施形態に限定されるものではなく、例えば次のような種々の態様も含まれる。
（１）上記実施形態では隔壁体３０の着座部３３を台座部２３に着座させるようにしているものの、隔壁体を凹部２１の底面２２に直接着座させるようにしてもよい。その場合には、隔壁体の一部に孔や切り欠きなどを設けることで連通路を構成すればよい。
【００２７】
（２）上記実施形態では第１隔壁３１の端部を第１凹溝２４Ａに収容しているものの、台座部２３に第１隔壁３１の途中部分を収容する凹溝を設けてもよい。
【符号の説明】
【００２８】
１０…コネクタ
２０…ハウジング
２１…凹部
２１Ａ…連通路（空間）
２２…底面
２２Ａ…連通路（空間）
２３…台座部
２３Ａ…取付孔
２４…第１周壁
２４Ａ…第１凹溝
２５…第２周壁
２５Ａ…第２凹溝
２６Ａ…連通路（空間）
３０…隔壁体
３１…第１隔壁
３２…第２隔壁
３５…突起
４０…端子
５０…ポッティング材
【図１】
0006304565.tif 000002
【図２】
0006304565.tif 000003
【図３】
0006304565.tif 000004
【図４】
0006304565.tif 000005
【図５】
0006304565.tif 000006
【図６】
0006304565.tif 000007
【図７】
0006304565.tif 000008
【図８】
0006304565.tif 000009
【図９】
0006304565.tif 000010
【図１０】
0006304565.tif 000011
【図１１】
0006304565.tif 000012